(57)【要約】      （修正有）【課題】鼻腔洗浄装置及び鼻腔洗浄システムを提供する。【解決手段】鼻腔洗浄装置２００は内部に収納空間を有するパイプ本体２０１を含み、当該パイプ本体の頂部には、鼻腔を洗浄するための洗浄部２０３又は複数の液体吐出口が設けられた鼻ブラシ及び鼻孔貼り付け部を着脱可能に取り付けた開口構造２０２が設けられ、当該洗浄部には電源に接続される超音波発生器３０８が取り付けられ、前記洗浄部は複数の液体吐出口が設置されている。前記パイプ本体の底部には浄水入口２０４と汚水出口２０５が開設され、前記パイプ本体の内部にはそれぞれ前記洗浄部に接続される浄水輸送通路と、汚水輸送通路と、鼻の洗浄液輸送通路とが固定配置され、前記浄水輸送通路には浄水圧送モーターが取り付けられ、前記汚水輸送通路には汚水吸引モーターが取り付けられて、電動揚水を行う。本実用新案は鼻腔に対する洗浄効率と体験電動揚水を効果的に向上させることができる。【選択図】図１
0003210625.tif 000002
【実用新案登録請求の範囲】
【請求項１】
内部に収容空間を有するパイプ本体を含み、当該収容空間内には電源が取り付けられ、当該パイプ本体の頂部には鼻腔を洗浄するための洗浄部と鼻腔に合わせる鼻孔貼り付け部とを着脱可能に取り付けた開口構造が設けられ、当該洗浄部には前記電源に接続され前記電源の駆動によって動作し、プリセット周波数の超音波を出して鼻腔の中の汚染物を振動させて当該汚染物を洗浄させる超音波発生器が取り付けられ、前記パイプ本体の底部には浄水入口と汚水出口とが開設され、前記パイプ本体の内部にはそれぞれ前記洗浄部に接続される浄水輸送通路と、汚水輸送通路と、鼻の洗浄液輸送通路とが固定配置され、前記洗浄部にはさらに複数の液体吐出口が設置されていることを特徴とする鼻腔洗浄装置。
【請求項２】
前記浄水輸送通路は、前記超音波発生器に近付く浄水輸送パイプと前記超音波発生器から離れる浄水保存部とを含み、前記浄水保存部の口径は前記浄水輸送パイプの口径より大きく、
前記汚水輸送通路は前記超音波発生器に近付く汚水輸送パイプと前記超音波発生器から離れる汚水保存部とを含み、前記汚水保存部の口径は前記汚水輸送パイプの口径より大きく、
前記鼻の洗浄液輸送通路は前記超音波発生器に近付く鼻の洗浄液輸送パイプと前記超音波発生器から離れる鼻の洗浄液保存部とを含み、前記鼻の洗浄液保存部の口径は前記鼻の洗浄液輸送パイプの口径より大きいことを特徴とする請求項１に記載の鼻腔洗浄装置。
【請求項３】
前記浄水保存部は更に浄水を吸入するための浄水圧送モーターに接続され、前記汚水保存部は更に汚水を排水するための汚水吸引モーターに接続されていることを特徴とする請求項２に記載の鼻腔洗浄装置。
【請求項４】
前記浄水圧送モーターと前記汚水吸引モーターはそれぞれ第１制御ボタンに接続され、前記鼻の洗浄液保存部は第２制御ボタンに接続され、前記第１制御ボタンと前記第２制御ボタンはそれぞれ前記電源に接続されて前記浄水圧送モーターと前記汚水吸引モーターとの入切を別々に制御することを特徴とする請求項３に記載の鼻腔洗浄装置。
【請求項５】
前記浄水保存部には電源に接続されるヒーターが設置されていることを特徴とする請求項２に記載の鼻腔洗浄装置。
【請求項６】
前記鼻孔貼り付け部は中空構造であり、前記鼻孔貼り付け部には前記汚水輸送通路と連結する導液貫通孔が設置されていることを特徴とする請求項１に記載の鼻腔洗浄装置。
【請求項７】
前記鼻孔貼り付け部の形状は弧状又は逆Ｕ字形であることを特徴とする請求項６に記載の鼻腔洗浄装置。
【請求項８】
前記パイプ本体の前記汚水輸送通路に近付く側には開閉可能の汚染物排出貫通孔が開設されていることを特徴とする請求項１に記載の鼻腔洗浄装置。
【請求項９】
内部に収容空間を有するパイプ本体を含み、当該収容空間内に電源が取り付けられ、当該パイプ本体の頂部には鼻腔を洗浄するための鼻ブラシと鼻腔に合わせる鼻孔貼り付け部とを着脱可能に取り付けた開口構造が設けられ、当該鼻ブラシは電源に接続され、前記パイプ本体の底部には浄水入口と汚水輸出口とが開設され、前記パイプ本体の内部にはそれぞれ前記鼻ブラシに接続する浄水輸送通路と、汚水輸送通路と、鼻の洗浄液輸送通路とが固定配置され、前記鼻ブラシには複数の液体吐出口が設置されていることを特徴とする鼻腔洗浄装置。
【請求項１０】
請求項１〜９のいずれか１項に記載の鼻腔洗浄装置と鼻毛を剃るための鼻毛剃り器とを含み、前記パイプ本体の頂部には前記鼻毛剃り器と洗浄部とを収納するための収納部が設けられていることを特徴とする鼻腔洗浄システム。
【考案の詳細な説明】
【技術分野】
【０００１】
本実用新案は清潔設備技術分野に関し、具体的には、鼻腔洗浄装置及び鼻腔洗浄システムに関する。
【背景技術】
【０００２】
環境汚染が日増しに悪化するにつれて、空気中の汚染物（例えばほこり、ウイルス、細菌とＰＭ２．５など）が増えてきていて、人々が鼻腔から吸い込んだ有害物質もますます多くなっている。その中のほとんどの有害物質は鼻腔中の天然バリア（例えば鼻毛など）で鼻腔の中に阻まれる。しかし、人体の免疫力が低下した場合、鼻腔に残る有害物質は人体に侵犯しやすく、風邪や鼻炎を引き起こすことがあり、ひいては肺がんの原因になった。
【０００３】
本実用新案の発明者の研究結果として、一般的な手動鼻ブラシと電動鼻腔洗浄器で鼻腔中の有害物質に対して洗浄を行えることが発見された。その中、手動鼻ブラシは完全に人工的な操作を利用し、毎回鼻腔を洗浄した後、再度水をつけて洗浄することが必要であるため、洗浄効率が低い。それに対して、電動鼻腔洗浄器は水洗機能のみを有し、医療上に用いられることが多く（例えば慢性鼻炎の鼻腔洗浄）、電動鼻腔洗浄器のヘッド部はスクラブ機能がないため、水洗後に鼻がむせりやすい。なお、電動鼻腔洗浄器は貯水装置と揚水装置がないので、洗浄後の液体が機械、手と体を汚しやすく、且つ操作者は首をかしげながら操作して使用しなければならず、操作はとても不便である。
【考案の概要】
【０００４】
本実用新案の実施例は、鼻腔に対する洗浄効率と体験快適性を効果的に向上させる鼻腔洗浄装置及び鼻腔洗浄システムを提供することを目的とする。
【０００５】
第１の態様として、本実用新案の実施例に係る鼻腔洗浄装置は、内部に収容空間を有するパイプ本体を含み、当該収容空間内には電源が取り付けられ、当該パイプ本体の頂部には鼻腔を洗浄するための洗浄部と鼻腔に合わせる鼻孔貼り付け部とを着脱可能に取り付けた開口構造が設けられ、当該洗浄部には前記電源に接続され前記電源の駆動によって動作し、プリセット周波数の超音波を出して鼻腔の中の汚染物を振動させて当該汚染物を洗浄させる超音波発生器が取り付けられ、前記パイプ本体の底部には浄水入口と汚水出口とが開設され、前記パイプ本体の内部にはそれぞれ前記洗浄部に接続される浄水輸送通路と、汚水輸送通路と鼻の洗浄液輸送通路とが固定配置され、前記洗浄部には複数の液体吐出口が設置されている。
【０００６】
好ましくは、前記浄水輸送通路は、前記超音波発生器に近付く浄水輸送パイプと前記超音波発生器から離れる浄水保存部とを含み、前記浄水保存部の口径は前記浄水輸送パイプの口径より大きく、
前記汚水輸送通路は、前記超音波発生器に近付く汚水輸送パイプと前記超音波発生器から離れる汚水保存部とを含み、前記汚水保存部の口径は前記汚水輸送パイプの口径より大きく、
前記鼻の洗浄液輸送通路は、前記超音波発生器に近付く鼻の洗浄液輸送パイプと前記超音波発生器から離れる鼻の洗浄液保存部とを含み、前記鼻の洗浄液保存部の口径は前記鼻の洗浄液輸送パイプの口径より大きい。
【０００７】
好ましくは、前記浄水保存部は更に浄水を吸入するための浄水圧送モーターに接続され、前記汚水保存部は更に汚水を排水するための汚水吸引モーターに接続されている。
【０００８】
好ましくは、前記浄水圧送モーターと汚水吸引モーターはそれぞれ第１制御ボタンに接続され、前記鼻の洗浄液保存部は第２制御ボタンに接続され、前記第１制御ボタンと第２制御ボタンはそれぞれ前記電源に接続されて浄水圧送モーターと汚水吸引モーターとの入切を別々に制御する。
【０００９】
好ましくは、前記浄水保存部には電源に接続されるヒーターが設置されている。
【００１０】
好ましくは、前記鼻孔貼り付け部は中空構造であり、前記鼻孔貼り付け部には前記汚水輸送通路と連結する導液貫通孔が設置されている。
【００１１】
好ましくは、前記鼻孔貼り付け部の形状は弧形又は逆U字形である。
【００１２】
好ましくは、前記パイプ本体の前記汚水輸送通路に近付く側には開閉可能の汚染物排出貫通孔が開設されている。
【００１３】
第２の態様として、本実用新案の実施例に係る鼻腔洗浄装置は、内部に収容空間を有するパイプ本体を含み、当該収容空間内に電源が取り付けられ、当該パイプ本体の頂部には鼻腔を洗浄するための鼻ブラシと鼻腔に合わせる鼻孔貼り付け部とを着脱可能に取り付けた開口構造が設けられ、当該鼻ブラシは電源と接続し、前記パイプ本体の底部には浄水入口と汚水出口とが開設され、前記パイプ本体の内部にはそれぞれ前記鼻ブラシに接続する浄水輸送通路と、汚水輸送通路と、鼻の洗浄液輸送通路とが固定配置され、前記鼻ブラシには複数の液体吐出口が設置されている。
【００１４】
第３の態様として、本実用新案の実施例に係る鼻腔洗浄システムは、鼻腔洗浄装置と、鼻毛を剃るための鼻毛剃り器とを含み、前記パイプ本体の頂部には前記鼻毛剃り器と洗浄部とを収納するための収納部が設けられている。
【００１５】
本実用新案に係る鼻腔洗浄装置及び鼻腔洗浄システムは、パイプ本体の内部に浄水輸送通路と、汚水輸送通路と鼻の洗浄液輸送通路とを固定配置し、パイプ本体の頂部に取り付けられた開口構造の洗浄部の複数の液体吐出口を利用し、或いはパイプ本体の頂部に取り付けられた開口構造の鼻ブラシの複数の液体吐出口を利用することにより、鼻の洗浄液輸送通路中の鼻の洗浄液と浄水輸送通路中の浄水を順次に鼻腔に噴き出させ、生成された汚水を汚水輸送通路に排出させているため、体験快適性を有効に向上させることができる。また、洗浄部に取り付けられた超音波発生器がプリセット周波数の超音波を出して鼻腔内の汚染物を振動させることによって、鼻腔に対する洗浄効率を向上させる。
【００１６】
さらに、鼻毛剃り器と洗浄部とを折りたたんでパイプ本体の頂部に設置された収納部に収納することにより、鼻腔洗浄装置の空間を十分に利用するとともに、当該鼻腔洗浄装置の収納機能を高めることができる。
【００１７】
本実用新案の上記目的、特徴、及び利点をもっと分かりやすくするために、以下、好ましい実施例を挙げ、添付の図面を参照しながら、以下のように詳しく説明する。
【図面の簡単な説明】
【００１８】
一般的な手動鼻ブラシと電動鼻腔洗浄器で鼻腔中の有害物質に対して洗浄を行う。その中、手動鼻ブラシは完全に人工的な操作を利用し、毎回鼻腔を洗浄した後、再度水をつけて洗浄することが必要であるため、洗浄効率が低い。それに対して、電動鼻腔洗浄器は水洗機能のみを有し、医療上に用いられることが多く（例えば慢性鼻炎の鼻腔洗浄）、電動鼻腔洗浄器のヘッド部はスクラブ機能がないため、水洗後に鼻がむせりやすい。なお、電動鼻腔洗浄器は貯水装置と揚水装置がないので、洗浄後の液体が機械、手と体を汚しやすく、且つ操作者は首をかしげながら操作して使用しなければならず、操作はとても不便である。
【００１９】
これに鑑みて、本実用新案は研究者の長期の探索と試み、及び何度もの実験と努力を経て、絶え間なく改革と創新して、上述の問題を大いに改善できる鼻腔洗浄装置及び鼻腔洗浄システムを提出した。
【００２０】
本実用新案の実施形態の技術方案をより明らかに説明するために、以下は、実施形態に用いられる図面を簡単に説明する。理解すべきこととして、以下の図面は本実用新案のいくつかの実施例のみを示しているので、範囲に対する限定と見なすべきではない。
【００２１】
【図１】本実用新案の実施形態に係る鼻腔洗浄装置の全体構造の模式図である。
【図２】本実用新案の実施形態に係る鼻腔洗浄装置の断面構造の模式図である。
【図３】本実用新案の実施形態に係る鼻腔洗浄装置の組立構造の模式図である。
【図４】本実用新案の実施形態に係る鼻腔洗浄装置の第１視点から見た時の平面構造の模式図である。
【図５】本実用新案の実施形態に係る別の鼻腔洗浄装置の全体構造の模式図である。
【図６】本実用新案の実施形態に係る超音波鼻腔洗浄システムの構成ブロック図である。
【符号の説明】
【００２２】
１００・・・超音波鼻腔洗浄システム
２００・・・鼻腔洗浄装置
３００・・・鼻毛剃り器
２０１・・・パイプ本体
２０２・・・開口構造
２０３・・・洗浄部
２０４・・・浄水入口
２０５・・・汚水出口
３０１・・・浄水輸送通路
３０２・・・汚水輸送通路
３０３・・・鼻の洗浄液輸送通路
３０４・・・浄水圧送モーター
３０５・・・汚水吸引モーター
３０６・・・鼻孔貼り付け部
３０７・・・液体吐出口
３０８・・・超音波発生器
３０９・・・鼻ブラシ
３０１１・・・浄水輸送パイプ
３０１２・・・浄水保存部
３０２１・・・汚水輸送パイプ
３０２２・・・汚水保存部
３０３１・・・鼻の洗浄液輸送パイプ
３０３２・・・鼻の洗浄液保存部
４０１・・・第１制御ボタン
４０２・・・第２制御ボタン
４０３・・・汚染物排出貫通孔。
【考案を実施するための形態】
【００２３】
本実用新案の実施形態の目的、技術方案、及び利点をもっと分かりやすくするために、以下、本実用新案の実施形態の図面を組み合わせて、本実用新案の実施形態における技術方案に対して明確かつ完全な説明を行う。言うまでもなく、述べる実施形態は本実用新案の一部の実施形態であり、全部の実施形態ではない。本実用新案の実施形態に基づき、当業者が創造的な労働を支払わなかった前提で得られたその他のすべての実施形態は、いずれも本実用新案の保護の範囲に該当する。そのため、以下の図面にかかる本実用新案の実施形態に対する詳細な説明は保護しようとする実用新案の範囲を制限することではなく、ただ本実用新案が選定された実施形態を表す。
【００２４】
本実用新案において、特に明確な規定と制限がない限り、第１の特徴が第２の特徴の「上」又は「下」にある場合、第１と第２の特徴が直接に接触することを含んでもよく、第１、第２の特徴が直接に接触ではなく、それらの間の別の特徴によって接触することを含んでもよい。また、第１の特徴が第２の特徴の「上」、「上方」、及び「上部」は第１の特徴が第２の特徴の真上及び斜め上方にあることを含み、或いは単に第１の特徴の水平高さは第２の特徴より高いことを表示する。第１の特徴が第２の特徴の「下」、「下方」、及び「下部」は第１の特徴が第２の特徴の真下及び斜め下方にあることを含み、或いは単に第１の特徴の水平高さは第２の特徴より低いことを表示する。
【００２５】
注意すべきこととして：以下の図面において似た符号と字母は類似する項目を表すため、ある１つの項目がある１つの図面の中で定義されたら、その後の図面にはそれに対して更なる定義と説明を行う必要がない。
【００２６】
図１に示すように、本実用新案の実施例に係る鼻腔洗浄装置２００の全体構造の模式図を示している。前記鼻腔洗浄装置２００はパイプ本体２０１を含んでもよく、このパイプ本体２０１の内部に一つの収容空間を形成し、前記収容空間内には電源が取り付けられ、電源はリチウム電池でも良いが、リチウム電池に限定されない。本実施例においては、前記パイプ本体２０１の頂部は開口構造２０２であり、当該開口構造２０２には洗浄部２０３が取り付けられている。前記洗浄部２０３と前記開口構造２０２とは着脱可能に接続され、例えば前記洗浄部２０３はねじ方式で前記開口構造２０２に接続されている。前記洗浄部２０３は鼻腔中の汚染物を洗浄するために用いられる。また、前記洗浄部203には超音波発生器３０８が取り付けられ、前記超音波発生器308は電源に電気的に接続される。前記超音波発生器３０８は前記電源の駆動によって稼動し、プリセット周波数の超音波を出して、鼻腔の中の汚染物を振動させて当該汚染物の洗浄などを行う。
【００２７】
鼻腔の中の汚染物を効果的に清潔するために、前記パイプ本体２０１の底部に浄水入口２０４と汚水出口２０５を開設している。その中、前記浄水入口２０４は外部環境中の浄水容器と繋がる（例えばホースで連結する）ことができて、この浄水器容器中の浄水を前記パイプ本体201内に吸い込む。前記汚水出口２０５は外部環境中の汚水容器と繋がる（例えばホースで連結する）ことができて、前記パイプ本体２０１内の汚水を汚水容器中に排水する。
【００２８】
図２に示すように、本実用新案の実施例に係る鼻腔洗浄装置２００の断面構造の模式を示している。その中、前記パイプ本体２０１の内部には浄水を輸送するための浄水輸送通路３０１と、汚水を輸送するための汚水輸送通路302と、鼻の洗浄液を輸送するための鼻の洗浄液輸送通路３０３とが固定配置されている。前記浄水輸送通路３０１、汚水輸送通路３０２と鼻の洗浄液輸送通路３０３はそれぞれ前記洗浄部２０３と接続する。
【００２９】
実施にあたって、まず、前記鼻の洗浄液輸送通路３０３は保存した鼻の洗浄液を前記洗浄部２０３中に輸送し、この洗浄部２０３に設けられた液体吐出口３０７によって鼻腔中に入れる。その後、前記浄水輸送通路３０１は浄水入口２０４によって前記浄水容器中の浄水を前記洗浄部２０３に輸送し、前記洗浄部２０３に設けられた液体吐出口３０７によってこの浄水を鼻腔内に噴き込む。最後に、前記汚水輸送通路３０２は鼻腔を洗浄した後に生成した汚水を前記汚水容器に排出して鼻腔に対する清潔を完成する。
【００３０】
鼻腔中の鼻の洗浄液、浄水、及び汚水等が外部環境に流出しないように、前記開口構造２０２には鼻孔貼り付け部306が取り付けられ、前記鼻孔貼り付け部３０６は前記鼻腔とはマッチする。その中、前記鼻孔貼り付け部３０６の形状は弧形と逆U字形を含むが、この限りではない。本実施例において、前記鼻孔貼り付け部３０６は中空構造であり、一定の体積の汚水などを収容することができ、一時的に汚水を貯める機能を果たす。前記鼻孔貼り付け部３０６には前記汚水輸送通路３０２に接続する導液貫通孔が設置されており、この導液貫通孔は前記鼻孔貼り付け部３０６中の汚水を前記汚水輸送通路３０２中に排水するために用いられて、鼻腔を洗浄した後に生成した汚水が溢れないようにする。また、前記鼻孔貼り付け部３０６の形状は鼻腔の形状とマッチングするため、鼻腔を洗浄する時に良好な密着性を維持することができ、ユーザーはどのような鼻洗浄方式を採用しでも、鼻腔中の浄水、鼻の洗浄液、及び汚水等が外部環境に流出することを効果的に防止することができ、その体験快適性などを向上させる。
【００３１】
さらに図２を参照して、前記浄水輸送通路３０１は浄水輸送パイプ３０１１と浄水保存部３０１２とを含む。その中、前記浄水輸送パイプ３０１１は前記洗浄部２０３に近付くように設置され、前記浄水保存部３０１２は前記洗浄部２０３から離れるように設置されている。また、前記浄水保存部３０１２の口径を前記浄水輸送パイプ３０１１の口径より大きくすることにより、前記浄水輸送パイプ３０１１は前記洗浄部２０３に接続することを保証し、浄水の保存と輸送を実現する。
【００３２】
前記汚水輸送通路３０２は汚水輸送パイプ３０２１と汚水保存部３０２２とを含む。その中、前記汚水輸送パイプ３０２１は前記洗浄部２０３に近付くように設置され、前記汚水保存部３０２２は前記洗浄部203から離れるように設置されている。また、前記汚水保存部３０２２の口径を前記汚水輸送パイプ３０２１の口径より大きくすることにより、前記汚水輸送パイプ３０２１は前記洗浄部２０３に接続することを保証し、汚水の保存と輸送を実現する。
【００３３】
前記鼻の洗浄液輸送通路３０３は鼻の洗浄液輸送パイプ３０３１と鼻の洗浄液保存部３０３２とを含む。その中、前記鼻の洗浄液輸送パイプ３０３１は前記洗浄部２０３に近付くように設置され、前記鼻の洗浄液保存部３０３２は前記洗浄部２０３から離れるように設置されている。また、前記鼻の洗浄液保存部３０３２の口径を前記鼻の洗浄液輸送パイプ３０３１の口径より大きくすることにより、鼻の洗浄液輸送パイプ３０３１は洗浄部２０３に接続することを保証し、鼻の洗浄液の保存と輸送を実現する。
【００３４】
本実施例において、前記浄水容器中の浄水を洗浄部２０３に吸入するために、前記浄水保存部３０１２は更に浄水圧送モーター３０４に接続されている。前記汚水保存部３０２２へ汚水を吸引して排水するために、前記汚水保存部３０２２は更に汚水吸引モーター３０５に接続されている。その中、前記浄水圧送モーター３０４と汚水吸引モーター３０５は前記電源に接続されている。
【００３５】
図３に示すように、本実用新案の実施例に係る鼻腔洗浄装置２００の組立構造の模式図を示している。その中、前記鼻腔洗浄装置２００は更に第１制御ボタン４０１と第２制御ボタン４０２とを含む。前記第１制御ボタン４０１は、それぞれ前記浄水圧送モーター３０４と前記汚水吸引モーター３０５と前記電源に接続され、前記浄水圧送モーター３０４と前記汚水吸引モーター３０５の入切を制御する。また、前記第２制御ボタン４０２は、それぞれ前記鼻の洗浄液保存部３０３２と前記電源に接続され、前記鼻の洗浄液保存部３０３２中の鼻の洗浄液を前記鼻の洗浄液輸送通路３０３を通じて前記洗浄部２０３に輸送するように制御する。
【００３６】
本実施例において、前記浄水保存部３０１２には更にヒーターが設置されている。前記ヒーターは前記電源に接続されている。このヒーターは前記浄水保存部３０１２中の浄水を加熱するために用いられて、鼻腔の体験快適度を向上させる。本実施例において、前記ヒーターは抵抗線と電気棒などであってもよい。
【００３７】
図４に示すように、鼻腔洗浄装置２００の第１視点から見た時の平面構造の模式図を示している。その中、前記鼻腔洗浄装置２００は更に汚染物排出貫通孔４０３を含む。当該汚染物排出貫通孔４０３は前記パイプ本体２０１の、汚水輸送通路３０２に近付く側に設置されている。また、前記汚染物排出貫通孔４０３は開けると閉める状態の間に切り替えることができる。具体的には、前記汚水保存部３０２２中の汚水を排出する必要がある時には、前記汚染物排出貫通孔４０３を開ける。前記汚水保存部３０２２中の汚水を保存する必要がある時には、汚染物排出貫通孔４０３を閉める。
【００３８】
図５に示すように、本実用新案の実施例に係るもう一つの鼻腔洗浄装置の全体構造の模式図を示している。前記鼻腔洗浄装置２００は一つのパイプ本体２０１を含んでもよく、このパイプ本体２０１の内部に一つの収容空間を形成し、前記収容空間内には電源が取り付けられ、前記電源はリチウム電池であってもよいが、リチウム電池などに限らない。本実施例において、前記パイプ本体２０１の頂部は開口構造２０２であり、この開口構造２０２には鼻ブラシ３０９が取り付けられている。前記鼻ブラシ３０９は前記開口構造２０２に着脱可能に接続されており、例えば前記鼻ブラシ３０９はネジ方式で前記開口構造２０２に接続されている。前記鼻刷３０９は鼻腔中の汚染物を洗浄するために用いられることができる。また、前記鼻刷３０９は更に前記電源に電気的に接続され、前記電源の駆動によって作動し、例えば鼻腔の中で回転などを行う。
【００３９】
鼻腔中の汚染物に対して効果的に清潔を行うために、前記パイプ本体２０１の底部には浄水入口２０４と汚水出口２０５が開設されている。その中、前記浄水入口２０４は外部環境における浄水容器に接続されてもよいし、この浄水容器中の浄水を前記パイプ本体２０１に吸い込んでも良い。前記汚水出口２０５は外部環境における汚水容器に接続されてもよいし、前記パイプ本体２０１内の汚水をこの汚水容器に排出してもよい。
【００４０】
図６に示すように、本実用新案の実施例に係る鼻腔洗浄システム１００の構成ブロック図を示している。前記鼻腔洗浄システム１００は鼻腔洗浄装置２００と鼻毛剃り器３００とを含んでもよく、この鼻毛剃り器３００は前記電源に接続され、鼻腔中における鼻毛を剃るために用いられる。本実施例において、前記パイプ本体２０１の頂部には収納部が設けられており、前記鼻毛剃り器３００と洗浄部２０３は折りたたんで前記収納部の中に入れることができる。実施の時、鼻腔中の鼻毛を整理する必要があるとき、前記鼻毛剃り器３００を取り付け、前記電源を起動して鼻毛剃り器３００を駆動させて作業を行う。作業を完了した後に、この鼻毛剃り器３００を前記収納部に入れて、洗浄部２０３を付け替えて鼻腔を洗浄する。
【００４１】
前記浄水保存部３０１２中の浄水と鼻の洗浄液保存部３０３２中の鼻の洗浄液とをそれぞれ前記洗浄部２０３に輸送するために、前記鼻腔洗浄装置２００の底部には液体輸送貫通孔が設置されている。また、前記鼻毛剃り器３００は前記液体輸送貫通孔によって前記鼻腔洗浄装置２００の前記パイプ本体２０１に着脱可能に取り付けられている。
【００４２】
本実用新案の実施例は鼻腔洗浄装置２００及び鼻腔洗浄システムを提供しており、パイプ本体２０１の内部に浄水輸送通路３０１、汚水輸送通路３０２及び鼻の洗浄液輸送通路３０３を固定配置することにより、パイプ本体２０１の頂部の開口構造２０２に取り付けられた洗浄部２０３における複数の液体吐出口３０７を利用して、鼻の洗浄液輸送通路３０３中の鼻の洗浄液と浄水輸送通路３０１中の浄水を順次に鼻腔に噴き出し、汚水を汚水輸送通路３０２中に排出して、体験快適性を効果的に向上させることができる。また、前記洗浄部２０３に取り付けられた超音波発生器３０８からプリセット周波数の超音波を発生することにより、鼻腔内の汚染物を振動させて、鼻腔に対する洗浄効率を向上させる。或いはパイプ本体２０１の頂部の開口構造２０２に取り付けられた鼻ブラシ３０９における複数の液体吐出口３０７を利用して、鼻の洗浄液輸送通路３０３中の鼻の洗浄液と浄水輸送通路３０１中の浄水を鼻腔に順次に噴き出し、汚水を汚水輸送通路３０２内に排出して、鼻腔に対する洗浄効率と体験快適性を効果的に向上させることができる。
【００４３】
さらに、鼻毛剃り器３００と洗浄部２０３を折りたたんで、パイプ本体２０１の頂部に設けられた収納部に収納することにより、鼻腔洗浄装置２００の空間を十分に利用するとともに、鼻腔洗浄装置２００の収納機能を高めることができる。
【００４４】
本実用新案に対する説明において、理解すべきこととして、「上」、「下」、「左」、「右」、「垂直」、「水平」、「頂」、「底」、「内」、「外」などの用語が指示する方向又は位置関係は図面が指示する方向又は位置関係に基づくものであり、ただ本実用新案の説明の便宜上及び簡略化するために使用されるが、ある設備又は部品は必ず特定の方向を持ったり、特定の方向で構造と操作を行ったりすることに対する指示又は暗示ではないので、本実用新案に対する制限と理解されるべきではない。
【００４５】
本実用新案において、特に明確な規定と限定がない限り、「取付け」、「接続」、「連結」、「固定」などの用語は広義的に理解されるべきであり、例えば、固定接続でも、着脱可能な接続でもよく、或いは一体的な接続でもよく、機械的な接続でも電気的な接続でもよく、直接接続でも、中間媒介によって間接接続でもよく、2つの部品内部の連結又は2つの部品の相互作用関係でもよい。当業者にとっては具体的な状況によって上記の用語の本実用新案における具体的な意味を理解することができる。
【００４６】
上記述べたことはただ本実用新案の好ましい実施形態であり、本実用新案を制限するものではなく、当業者にとっては、本実用新案に対して種々の変更と変形を行うことができる。本実用新案の精神と原則内に行った全ての補正、同等切り替え、改善などは、いずれも本実用新案の保護範囲に該当する。
【図１】
0003210625.tif 000003
【図２】
0003210625.tif 000004
【図３】
0003210625.tif 000005
【図４】
0003210625.tif 000006
【図５】
0003210625.tif 000007
【図６】
0003210625.tif 000008